(57)【特許請求の範囲】
【請求項１】
互いに反対方向に回転する高速カッター軸（１１）と低速カッター軸（２０）を平行に設け、該高速カッター軸（１１）上には、円板状の高速回転刃（１３・・）とスターホィール（１４・・）を、それぞれ一定間隔を開けて固定し、該低速カッター軸（２０）上には、円板状の低速回転刃（２１・・）を一定間隔を開けて固定し、該低速回転刃（２１・・）は、前記高速回転刃（１３・・）に対して、それぞれ位置を左右方向にズラせて対向して配置し、前記高速回転刃（１３）と低速回転刃（２１）には、それぞれ外周部分に鋸刃状の刃縁を形成したコンバインカッターの回転刃において、前記高速カッター軸（１１）上の高速回転刃（１３）の外周には刃部が形成され、該刃部には一定間隔をあけて凸縁部（１３ａ）と凹縁部（１３ｂ）を形成し、該凸縁部（１３ａ）と凹縁部（１３ｂ）の刃縁（１３ｄ）は、本体面に対する角度（α）を一定角度となるようにして、１工程で刃縁（１３ｄ）の研磨が行えるように構成し、該刃縁（１３ｄ）の裏面に、自溶合金を溶射し、該凹縁部（１３ｂ）を、平面視で「へ」字状の切欠として、該「へ」字状の切欠の前後の縁部は、それぞれ半径方向の線よりも傾斜させ、該凹縁部（１３ｂ）の回転方向後方側の後側縁（１３ｃ）は、半径方向の線に対して後退した角度に形成し、その後退角度（γ）を約３０〜６０度とし、更に、該凹縁部（１３ｂ）の前後の縁部のなす角度（β）は鈍角としたことを特徴とするコンバインカッターの回転刃。
【発明の詳細な説明】
【０００１】
【発明の属する技術分野】
本発明は、コンバインの後部に配置したカッターの回転刃の構成に関する。
【０００２】
【従来の技術】
従来のコンバインのカッター装置は、前後平行に設けたカッター軸上にそれぞれ円板状の回転刃を設けて、前後の回転刃を一部軸方向で重ねて、カッター軸を回転させて、前後の回転刃の間に排藁を投入して排藁を切断するようにしている。そして、このカッター装置の回転刃の外周には鋸刃状に形成されていたのであるが、排藁の送り込み効率が悪かったので、回転刃の外周部分に中心側に凹む凹縁部を形成して、排藁の送り込みを高めるようにした技術が公知となっている。例えは、特公昭５７−１０６８６号の技術である。
【０００３】
【発明が解決しようとする課題】
しかし、図７に示すように、従来の回転刃１の外周に形成した凹縁部２は回転方向後側縁２ａが接線方向に対して急角度となって、半径方向に近い角度となっていた。このような回転刃１によって切断を続けて、後側縁２ａが摩耗すると、排藁は後側縁２ａで曲折し、所定の寸法よりも長く切断されたり、または、後側縁２ａで引っ掛かった状態で送られて、切断されずにカッター軸に巻きついてしまうことがあった。また、摩耗した後側縁２ａで排藁がカッター切断部に積極的に供給されると、凹縁部２の切断性能が伴わないので、前述のように排藁が巻きついて詰まりの原因となっていたのである。
【０００４】
【課題を解決するための手段】
本発明の解決しようとする課題は以上の如くであり、次にこの課題を解決するための手段を説明する。
互いに反対方向に回転する高速カッター軸（１１）と低速カッター軸（２０）を平行に設け、該高速カッター軸（１１）上には、円板状の高速回転刃（１３・・）とスターホィール（１４・・）を、それぞれ一定間隔を開けて固定し、該低速カッター軸（２０）上には、円板状の低速回転刃（２１・・）を一定間隔を開けて固定し、該低速回転刃（２１・・）は、前記高速回転刃（１３・・）に対して、それぞれ位置を左右方向にズラせて対向して配置し、前記高速回転刃（１３）と低速回転刃（２１）には、それぞれ外周部分に鋸刃状の刃縁を形成したコンバインカッターの回転刃において、前記高速カッター軸（１１）上の高速回転刃（１３）の外周には刃部が形成され、該刃部には一定間隔をあけて凸縁部（１３ａ）と凹縁部（１３ｂ）を形成し、該凸縁部（１３ａ）と凹縁部（１３ｂ）の刃縁（１３ｄ）は、本体面に対する角度（α）を一定角度となるようにして、１工程で刃縁（１３ｄ）の研磨が行えるように構成し、該刃縁（１３ｄ）の裏面に、自溶合金を溶射し、該凹縁部（１３ｂ）を、平面視で「へ」字状の切欠として、該「へ」字状の切欠の前後の縁部は、それぞれ半径方向の線よりも傾斜させ、該凹縁部（１３ｂ）の回転方向後方側の後側縁（１３ｃ）は、半径方向の線に対して後退した角度に形成し、その後退角度（γ）を約３０〜６０度とし、更に、該凹縁部（１３ｂ）の前後の縁部のなす角度（β）は鈍角としたものである。
【０００５】
【発明の実施の形態】
以下、本発明の実施例を図面に基づいて詳述する。図１はコンバインのカッター装置の側面図、図２は同じく斜視図、図３はカッター装置の側面断面図、図４は本発明の回転刃の正面図、図５は図４におけるＸ−Ｘ矢視断面図、図６は凹縁部の拡大図である。
【０００６】
図１、図２、図３において、カッター装置Ｃの構成を説明する。カッター装置Ｃは左右のカッター側板１０Ｌ・１０Ｒの間に、高速カッター軸１１が回転自在に横架され、該高速カッター軸１１上には円板状の高速小径回転刃１２・１２・・・と高速大径回転刃１３・１３・・・とスターホィール１４・１４・・・がそれぞれ一定間隔を開けて固定され、本実施例では高速大径回転刃１３と高速大径回転刃１３の間に２枚の高速小径回転刃１２が配置され、高速小径回転刃１２と高速大径回転刃１３のそれぞれの間にスターホィール１４・１４・・・が配置されている。
【０００７】
そして、前記高速カッター軸１１を軸支したカッター側板１０Ｌ・１０Ｒ上の前部位置に支点軸１５Ｌ・１５Ｒが回転自在に設けられ、該支点軸１５Ｌ・１５Ｒ上に外支持板１６Ｌ・１６Ｒが枢支され、該外支持板１６Ｌ・１６Ｒの上部に低速カッター軸２０が前記高速カッター軸１１と平行に横架して枢支され、該外支持板１６Ｌ・１６Ｒの上部はカッター側板１０Ｌ・１０Ｒの開口部１０ａ・１０ａを貫通して内支持板１７Ｌ・１７Ｒの下部が固定され、該内支持板１７Ｌ・１７Ｒの上端には連結シャフト１９が横設されて連結され、該連結シャフト１９の一端にハンドル１８が固設されてカッター側板１０Ｌに設けた長孔１０ｂより突出している。該ハンドル１８は後述する排藁切断長を長短切換えるハンドルであり、前後に回動して、それぞれの位置でロックできるようにしている。
【０００８】
前記低速カッター軸２０上には低速回転刃２１・２１・・・が一定間隔をおいて固定され、前記高速小径回転刃１２と高速大径回転刃１３にそれぞれ位置を左右方向にズラせて対向して配置され、図３に示すように、短切断長のときには、低速回転刃２１の円周が高速小径回転刃１２の円周と側面視で重複するように配置し、長切断長のときには、低速回転刃２１の円周が高速大径回転刃１３の円周と側面視で重複するように配置し、前記ハンドル１８の回動によって切換えている。前記低速回転刃２１と低速回転刃２１の間にはスターホィール２２・２２・・・が配設されている。
【０００９】
そして、前記高速小径回転刃１２と高速大径回転刃１３と低速回転刃２１にはそれぞれ外周部分に鋸刃状の刃部が形成されており、この刃部の裏面には耐久性を高めるために自溶合金を溶射している。本発明は前記高速大径回転刃１３の形状にかかるものであり、図４、図５、図６に示すように、該高速大径回転刃１３の外周には刃部が形成され、該刃部には一定間隔をあけて凸縁部１３ａと凹縁部１３ｂが形成され、本実施例では６０度おきに凹縁部１３ｂを設けている。該凹縁部１３ｂは平面視で「へ」字状の切欠として、前後の縁部はそれぞれ半径方向よりも傾斜させて、その角度βは鈍角として、更に、該凹縁部１３ｂにおける高速大径回転刃１３の回転方向に対する後側縁１３ｃは後退角に形成して、その角度γは好ましくは約３０〜６０度とし、回転させて切断するときに、排藁が凹縁部で引っ掛からないようにしている。そして、図５に示すように、凸縁部１３ａと凹縁部１３ｂの刃縁１３ｄは本体面に対する角度αを一定角度となるようにして、１工程で研磨が行えるようにしている。
【００１０】
そして、前記高速カッター軸１１と低速カッター軸２０を駆動する構成は、図１に示すように、カッター側板１０Ｌの外側の高速カッター軸１１上に入力プーリー３０が固設されて、本機側よりベルトを介して動力が伝えられ、該高速カッター軸１１上に更にスプロケット３１が固設され、また、前記支点軸１５Ｌ上にスプロケット３２とカウンターギヤ３４が固設され、前記スプロケット３１とスプロケット３２の間にチェーン３３が巻回されている。そして、前記低速カッター軸２０上にギヤ３５が固設されて、前記カウンターギヤ３４と噛合されて、前記入力プーリー３０より高速カッター軸１１と低速カッター軸２０を矢印に示すように、互いに反対方向に回転するように構成している。
【００１１】
このような構成において、ハンドル１８を前側へ回動して長切断長として、高速カッター軸１１と低速カッター軸２０を回転させて切断作業を行うと、スターホィール１４・２２による送り込み作用は小さいが、高速大径回転刃１３の凹縁部１３ｂによって送り込み作用が生じて、排藁を所定の長さに切断する。そして、凹縁部１３ｂが摩耗していても、凹縁部１３ｂは鈍角、つまり、緩斜面に形成されているので、この緩斜面が逃げとなって、積極的に切断部へ一度に大量の排藁が供給されることはなく、順次回転方向後方の凹縁部１３ｂ１・１３ｂ２・１３ｂ３・・・と送り込み作用が引き継がれ、順次送り込みながら切断することになる。従って、切断部には凹縁部１３ｂが、たとえ摩耗していても、排藁が折れ曲がったり、巻き付いて詰まったりすることがなく、所定の切断寸法で切断され、安定した切断性能がえられる。
【００１２】
そして、ハンドル１８を後側へ回動して短切断長として、高速カッター軸１１と低速カッター軸２０を回転させて切断作業を行うと、高速大径回転刃１３は低速回転刃２１側に深く入り込むことになり、従来の凹縁部のない丸い回転刃では送り作用がないので、深く介入する分だけ切断時のショックが大きく、詰まり易くなっていたが、本発明では、高速小径回転刃１２には凹縁部が形成されていないが、高速カッター軸１１上にはスターホィール２２・２２・・・が配設されているので、このステーホィール２２・２２・・・の送り込み作用によって十分送りこまれて切断され、高速大径回転刃１３の凹縁部１３ｂでも送り込まれて確実に切断するのである。
【００１３】
【発明の効果】
本発明は、以上のように構成したので、次のような効果を奏するものである。
互いに反対方向に回転する高速カッター軸（１１）と低速カッター軸（２０）を平行に設け、該高速カッター軸（１１）上には、円板状の高速回転刃（１３・・）とスターホィール（１４・・）を、それぞれ一定間隔を開けて固定し、該低速カッター軸（２０）上には、円板状の低速回転刃（２１・・）を一定間隔を開けて固定し、該低速回転刃（２１・・）は、前記高速回転刃（１３・・）に対して、それぞれ位置を左右方向にズラせて対向して配置し、前記高速回転刃（１３）と低速回転刃（２１）には、それぞれ外周部分に鋸刃状の刃縁を形成したコンバインカッターの回転刃において、前記高速カッター軸（１１）上の高速回転刃（１３）の外周には刃部が形成され、該刃部には一定間隔をあけて凸縁部（１３ａ）と凹縁部（１３ｂ）を形成し、該凸縁部（１３ａ）と凹縁部（１３ｂ）の刃縁（１３ｄ）は、本体面に対する角度（α）を一定角度となるようにして、１工程で刃縁（１３ｄ）の研磨が行えるように構成し、該刃縁（１３ｄ）の裏面に、自溶合金を溶射し、該凹縁部（１３ｂ）を、平面視で「へ」字状の切欠として、該「へ」字状の切欠の前後の縁部は、それぞれ半径方向の線よりも傾斜させ、該凹縁部（１３ｂ）の回転方向後方側の後側縁（１３ｃ）は、半径方向の線に対して後退した角度に形成し、その後退角度（γ）を約３０〜６０度とし、更に、該凹縁部（１３ｂ）の前後の縁部のなす角度（β）は鈍角としたので、切断時には送り込み作用が生じて確実に切断でき、凹縁部が摩耗した場合であっても、引っ掛かることなく、逃げとなり、詰まりが生じることがなく確実に切断できる。
【００１４】
また、該凹縁部（１３ｂ）は平面視で「へ」字状の切欠として、前後の縁部はそれぞれ半径方向よりも傾斜させ、その前後の縁部のなす角度（β）は鈍角とし、更に、該凹縁部（１３ｂ）の回転方向に対する後側縁（１３ｃ）は後退角に形成し、その角度（γ）を約３０〜６０度としたので、排藁が引っ掛かり難く、逃げ易くなるのである。
【図面の簡単な説明】
【図１】  コンバインのカッター装置の側面図である。
【図２】  同じく斜視図である。
【図３】  カッター装置の側面断面図である。
【図４】  本発明の回転刃の正面図である。
【図５】  図４におけるＸ−Ｘ矢視断面図である。
【図６】  凹縁部の拡大図である。
【図７】  従来のカッター装置の側面図である。
【符号の説明】
１１  高速カッター軸
１３  高速大径回転刃
１３ａ  凸縁部
１３ｂ  凹縁部
１３ｃ  後側縁
２０  低速カッター軸
【図１】
0004195733.tif 000002
【図２】
0004195733.tif 000003
【図３】
0004195733.tif 000004
【図４】
0004195733.tif 000005
【図５】
0004195733.tif 000006
【図６】
0004195733.tif 000007
【図７】
0004195733.tif 000008